【手続補正書】
【提出日】平成19年8月1日(2007.8.1)
【手続補正１】
【補正対象書類名】明細書
【補正対象項目名】特許請求の範囲
【補正方法】変更
【補正の内容】
【特許請求の範囲】
【請求項１】
第１のレート仮定にしたがって通信信号の周波数を追跡する第１の周波数追跡ループと、
第２のレート仮定にしたがって前記通信信号の周波数を追跡する第２の周波数追跡ループとを具備する周波数追跡モジュール。
【請求項２】
前記第１の周波数追跡ループは、
逆拡散基準信号を受け取って、前記基準信号にしたがって前記通信信号のセンター周波数を推定する周波数エラー検出器と、
前記センター周波数推定値を受け取って、複数の前記センター周波数推定値を累算するアキュムレータとを備える請求項１記載の周波数追跡モジュール。
【請求項３】
前記周波数エラー検出器と前記アキュムレータとの間に配置され、前記センター周波数推定値を受け取って前記センター周波数推定値をフィルタして、調整されたセンター周波数推定値を前記アキュムレータに提供するループフィルタをさらに備える請求項２記載の周波数追跡モジュール。
【請求項４】
前記第２の周波数追跡ループは、
逆拡散基準信号を受け取って、前記基準信号にしたがってセンター周波数を推定する周波数エラー検出器と、
前記センター周波数推定値を受け取って、複数の前記センター周波数推定値を累算するアキュムレータとを備える請求項１記載の周波数追跡モジュール。
【請求項５】
前記周波数エラー検出器と前記アキュムレータとの間に配置され、前記センター周波数推定値を受け取って前記センター周波数推定値をフィルタして、調整されたセンター周波数推定値を前記アキュムレータに提供するループフィルタをさらに備える請求項４記載の周波数追跡モジュール。
【請求項６】
前記センター周波数推定値を記憶するメモリ記憶装置と、
前記記憶されたセンター周波数推定値を合計する合計器とを備える請求項２記載の周波数追跡モジュール。
【請求項７】
前記センター周波数推定値を記憶するメモリ記憶装置と、
前記記憶されたセンター周波数推定値を合計する合計器とを備える請求項３記載の周波数追跡モジュール。
【請求項８】
前記センター周波数推定値を記憶するメモリ記憶装置と、
前記記憶されたセンター周波数推定値を合計する合計器とを備える請求項４記載の周波数追跡モジュール。
【請求項９】
前記センター周波数推定値を記憶するメモリ記憶装置と、
前記記憶されたセンター周波数推定値を合計する合計器とを備える請求項５記載の周波数追跡モジュール。
【請求項１０】
ループフィルタは、調整されたセンター周波数推定値を計算する請求項３記載の周波数追跡モジュール。
【請求項１１】
ループフィルタは、調整されたセンター周波数推定値を計算する請求項５記載の周波数追跡モジュール。
【請求項１２】
ループフィルタは、調整されたセンター周波数推定値を計算する請求項７記載の周波数追跡モジュール。
【請求項１３】
ループフィルタは、調整されたセンター周波数推定値を計算する請求項９記載の周波数追跡モジュール。
【請求項１４】
前記第１の周波数追跡ループは、
逆拡散基準信号を受け取って、前記基準信号にしたがってセンター周波数を推定する第１の周波数エラー検出器と、
前記センター周波数推定値をフィルタして、調整されたセンター周波数推定値を提供する第１のループフィルタと、
前記センター周波数推定値を受け取って、複数の前記センター周波数推定値を累算する第１のアキュムレータとを備え、
前記第２の周波数追跡ループは、
逆拡散基準信号を受け取って、前記基準信号にしたがってセンター周波数を推定する第２の周波数エラー検出器と、
前記センター周波数推定値をフィルタして、調整されたセンター周波数推定値を提供する第２のループフィルタと、
前記センター周波数推定値を受け取って、複数の前記センター周波数推定値を累算する第２のアキュムレータとを備える請求項１記載の周波数追跡モジュール。
【請求項１５】
第１のアキュムレータは前記センター周波数推定値を記憶するメモリを備え、
第１のループフィルタは前記調整されたセンター周波数推定値を記憶するメモリを備え、
第２のアキュムレータは前記センター周波数推定値を記憶するメモリを備え、
第２のループフィルタは前記調整されたセンター周波数推定値を記憶するメモリを備える請求項１４記載の周波数追跡モジュール。
【請求項１６】
前記第２の追跡ループは、前記フレームレートが第１のレート仮定に対応するときに、前記第２のアキュムレータのメモリ内容を前記第１のアキュムレータにさらに送り、
前記第２の追跡ループは、前記フレームレートが第１のレート仮定に対応するときに、前記第２のループフィルタのメモリ内容を前記第１のループフィルタにさらに送り、
前記第１の追跡ループは、前記フレームレートが第２のレート仮定に対応するときに、前記第１のアキュムレータのメモリ内容を前記第２のアキュムレータにさらに送り、
前記第１の追跡ループは、前記フレームレートが第２のレート仮定に対応するときに、前記第１のループフィルタのメモリ内容を前記第２のループフィルタにさらに送る請求項１５記載の周波数追跡モジュール。
【請求項１７】
前記第１のレート仮定にしたがって前記第１の追跡ループのセンター周波数推定値を提供し、前記第２のレート仮定にしたがって前記第２の追跡ループのセンター周波数推定値を提供するマルチプレクサをさらに具備する請求項１６記載の周波数追跡モジュール。
【請求項１８】
前記第１のレート仮定は、復調された基本トラフィックフレームが８分の１レート以外の任意のレートでフレームとして受信される仮定であり、
前記第２のレート仮定は、復調された基本トラフィックフレームが８分の１レートでフレームとして受信される仮定である請求項１７記載の周波数追跡モジュール。
【請求項１９】
前記第１のレート仮定にしたがって前記第１の追跡ループセンター周波数推定値を提供し、前記第２のレート仮定にしたがって前記第２の追跡ループセンター周波数推定値を提供するマルチプレクサをさらに具備する請求項１８記載の周波数追跡モジュール。
【請求項２０】
通信信号の周波数を追跡する方法において、
第１のレート仮定にしたがって通信信号の周波数を追跡するステップと、
第２のレート仮定にしたがって前記通信信号の周波数を追跡するステップとを含む通信信号の周波数を追跡する方法。
【請求項２１】
第１のレート仮定にしたがって通信信号の周波数を追跡する前記ステップは、
逆拡散基準信号を受け取るステップと、
前記基準信号にしたがって前記通信信号のセンター周波数を推定するステップと、
複数の前記センター周波数推定値を累算するステップとを含む請求項２０記載の方法。
【請求項２２】
第１のレート仮定にしたがって通信信号の周波数を追跡する前記ステップは、前記センター周波数推定値をフィルタして、調整されたセンター周波数推定値を前記アキュムレータに提供するステップをさらに含む請求項２１記載の方法。
【請求項２３】
第２のレート仮定にしたがって通信信号の周波数を追跡する前記ステップは、
逆拡散基準信号を受け取るステップと、
前記基準信号にしたがってセンター周波数を推定するステップと、
複数の前記センター周波数推定値を累算するステップとを含む請求項２０記載の方法。
【請求項２４】
第２のレート仮定にしたがって通信信号の周波数を追跡する前記ステップは、前記センター周波数推定値をフィルタして、調整されたセンター周波数推定値を前記アキュムレータに提供するステップをさらに含む請求項２３記載の方法。
【請求項２５】
前記累算ステップは、
前記センター周波数推定値を記憶するステップと、
前記記憶されたセンター周波数推定値を合計するステップとを含む請求項２１記載の方法。
【請求項２６】
前記累算ステップは、
前記センター周波数推定値を記憶するステップと
と、
前記記憶されたセンター周波数推定値を合計するステップとを含む請求項２２記載の方法。
【請求項２７】
前記累算ステップは、
前記センター周波数推定値を記憶するステップと、
前記記憶されたセンター周波数推定値を合計するステップとを含む請求項２３記載の方法。
【請求項２８】
前記累算ステップは、
前記センター周波数推定値を記憶するステップと、
前記記憶されたセンター周波数推定値を合計するステップとを含む請求項２４記載の方法。
【請求項２９】
前記センター周波数推定値をフィルタする前記ステップは、複数のフィルタ成分値にしたがって実行される請求項２２記載の方法。
【請求項３０】
前記センター周波数推定値をフィルタする前記ステップは、複数のフィルタ成分値にしたがって実行される請求項２４記載の方法。
【請求項３１】
第１のレート仮定にしたがって通信信号の周波数を追跡する前記ステップは、
逆拡散基準信号を受け取るステップと、
前記基準信号にしたがってセンター周波数を推定するステップと、
前記センター周波数推定値をフィルタして、調整されたセンター周波数推定値を提供するステップと、
複数の前記センター周波数推定値を累算するステップとを含み、
第２のレート仮定にしたがって通信信号の周波数を追跡する前記ステップは、
逆拡散基準信号を受け取るステップと、
前記基準信号にしたがってセンター周波数を推定するステップと、
前記センター周波数推定値をフィルタして、調整されたセンター周波数推定値を提供するステップと、
複数の前記センター周波数推定値を累算するステップとを含む請求項２０記載の方法。
【請求項３２】
前記第１のレート仮定にしたがって前記センター周波数推定値を記憶するステップと、
前記第１のレート仮定にしたがって前記調整されたセンター周波数推定値を記憶するステップと、
前記第２のレート仮定にしたがって前記センター周波数推定値を記憶するステップと、
前記第２のレート仮定にしたがって前記調整されたセンター周波数推定値を記憶するステップとをさらに含む請求項３１記載の方法。
【請求項３３】
前記通信信号のフレームレートが前記第２のレート仮定のものであると決定されたときに、前記第１のレート仮定の前記センター周波数推定値を前記第２のレート仮定の前記センター周波数推定値で置換することをさらに含む請求項３２記載の方法。
【手続補正２】
【補正対象書類名】明細書
【補正対象項目名】００５０
【補正方法】変更
【補正の内容】
【００５０】
例示的な実施形態では、受信パイロットがフレーム期間を通して連続的であるという仮定に基づいて周波数追跡モジュール４３２が周波数を追跡しているとき、ＤＥＭＵＸ７３１はウォルシュアキュムレータ４３０からの入力をライン７３２でＦＴＬC７００に提供する。ＦＴＬC７００では、周波数エラー検出器７０２がＤＥＭＵＸ７３１を通してウォルシュアキュムレータ４３０から入力を受け取る。周波数エラー検出器７０２はこの入力をサンプリングして、ローテータ４０５が現在同調されている周波数に対する同調センター周波数を推定する。周波数追跡モジュール４３２の例示的な実施形態では、周波数の推定されたセンターが入力としてループフィルタ７０４に提供される。最小の待ち時間が望まれる実施形態では、周波数エラー検出器７０２の出力はアキュムレータ７０６に直接提供することができる。ループフィルタ７０４は技術的によく知られており、フェーズロック技術第２版、F.M.Gardner,John Wiley & Sons, Inc.、ニューヨーク州、１９７９年において詳細に説明されているループフィルタである。この文献は参照によりここに組み込まれている。例示的な実施形態では、ループフィルタ７０４はメモリ記憶領域に周波数エラー検出器７０２の出力を記憶させる。ループフィルタ７０４はそのメモリ領域に記憶されている以前の推定値に基づいて周波数のセンターの推定値を調整する。ループフィルタ７０４はアキュムレータ７０６にセンター周波数のその調整された推定値を提供する。アキュムレータ７０６は周波数のセンターの平滑化された推定値をＭＵＸ７２０に出力し、この推定値に対して同調が行われる。ＭＵＸ７２０は２つの位置の１つにスイッチさせることができるマルチプレクサである。第１の位置では、出力４３３は入力７０７と同一である。第２の位置では、出力４３３は入力７１７と同一である。
【手続補正３】
【補正対象書類名】明細書
【補正対象項目名】００５１
【補正方法】変更
【補正の内容】
【００５１】
例示的な実施形態では、受信パイロットがフレーム期間を通して連続的であるという仮定に基づいて周波数追跡モジュール４３２が周波数を追跡しているときに、ＤＥＭＵＸ７３１はウォルシュアキュムレータ４３０からの入力をライン７３３でＦＴＬD７１０に提供する。ＦＴＬD７１０の例示的な実施形態では、周波数エラー検出器７１２はＤＥＭＵＸ７３１を通してウォルシュアキュムレータ４３０からの入力を受け取る。周波数エラー検出器７１２はこの入力をサンプリングし、ローテータ４０５が現在同調されている周波数に対して同調センター周波数を推定する。周波数追跡モジュール４３２の例示的な実施形態では、周波数の推定されたセンターは入力としてループフィルタ７１４に提供される。最小の待ち時間が望まれる実施形態では、周波数エラー検出器７１２の出力をアキュムレータ７１６に直接提供することができる。